(57)【要約】【課題】燃料電池の構成部材に損傷を与えることなく、燃料極触媒の表面に吸着したＣＯを酸化し、燃料極触媒のＣＯ被毒を抑制することのできる燃料供給方法及び燃料電池システムを提供する。【解決手段】燃料電池用燃料と金属過酸化物とを混合し、燃料電池用燃料を燃料電池セルの燃料極に供給する。好ましくは燃料電池用燃料と金属過酸化物と水とを混合し、燃料電池用燃料を燃料電池セルの燃料極に供給する。これにより、溶存酸素濃度の高い燃料電池用燃料を燃料極に供給することができ、燃料極触媒のＣＯ被毒を抑制することができる。【選択図】なし【特許請求の範囲】
【請求項１】
燃料電池用燃料と金属過酸化物とを混合し、燃料電池セルの燃料極に前記燃料電池用燃料を供給することを特徴とする燃料供給方法。
【請求項２】
前記燃料電池用燃料と前記金属過酸化物と水とを混合し、前記燃料極に前記燃料電池用燃料を供給することを特徴とする請求項１に記載の燃料供給方法。
【請求項３】
前記燃料電池用燃料と前記金属過酸化物との混合物から前記金属過酸化物及び／又は前記金属過酸化物由来の金属陽イオンを除去し、前記燃料極に前記燃料電池用燃料を供給することを特徴とする請求項１又は２に記載の燃料供給方法。
【請求項４】
前記金属過酸化物が、過酸化マグネシウム及び／又は過酸化カルシウムであることを特徴とする請求項１〜３のいずれかに記載の燃料供給方法。
【請求項５】
前記燃料電池用燃料が、アルコール類であることを特徴とする請求項１〜４のいずれかに記載の燃料供給方法。
【請求項６】
前記アルコール類が、メタノールであることを特徴とする請求項５に記載の燃料供給方法。
【請求項７】
燃料極を有する燃料電池セルと、
燃料電池用燃料と金属過酸化物とを混合する混合部と
を備えることを特徴とする燃料電池システム。
【請求項８】
燃料極を有する燃料電池セルと、
燃料電池用燃料と金属過酸化物と水とを混合する混合部と
を備えることを特徴とする燃料電池システム。
【請求項９】
前記燃料電池セルの燃料極の上流側に、前記金属過酸化物及び／又は前記金属過酸化物由来の金属陽イオンを除去する除去部が設けられていることを特徴とする請求項７又は８に記載の燃料電池システム。
【請求項１０】
請求項７〜９のいずれかに記載の燃料電池システムで発電された電気を利用して駆動することを特徴とする携帯用電子機器。
【発明の詳細な説明】
【技術分野】
【０００１】
本発明は、燃料電池システムにおける燃料極への燃料供給方法、燃料電池システム及び携帯用電子機器に関する。
【背景技術】
【０００２】
近年、環境問題や資源問題への対策が重要になっており、その対策の一つとして、液体燃料としての有機溶媒と水とを直接供給して発電することのできる燃料電池の開発が活発に行われている。
【０００３】
特に、液体燃料としてメタノールを用い、その改質・ガス化を行うことなく直接メタノールを供給して発電することのできるダイレクトメタノール型燃料電池は、構造がシンプルであり、かつ小型化・軽量化が容易であるため、携帯型小型電子機器用、コンピュータ用等のコンシューマ電源をはじめ、種々の分散型電源、可搬型電源として有望である。
【０００４】
ダイレクトメタノール型燃料電池では、下記式（１）〜（３）で示すように、燃料極（アノード）側にメタノール水溶液が供給され、空気極（カソード）側に酸化剤ガスとしての空気が供給されると、燃料極では、メタノールと水とが反応して二酸化炭素が生成されるとともに、水素イオンと電子とが放出され、空気極では、空気中の酸素が電解質を通過してきた水素イオンと電子とを取り込んで水が生成され、外部回路に起電力を生じさせる。そして、生成された水は、反応に寄与しなかった空気とともに空気極側から排出され、生成された二酸化炭素は、反応に寄与しなかったメタノール水溶液とともに燃料極側から排出される。
（燃料極）ＣＨ３ＯＨ ＋ Ｈ２Ｏ → ＣＯ２ ＋ ６Ｈ＋ ＋ ６ｅ−…（１）
（空気極）６Ｈ＋ ＋ ３／２Ｏ２ ＋ ６ｅ− → ３Ｈ２Ｏ…（２）
（全反応）ＣＨ３ＯＨ ＋ ３／２Ｏ２ → ＣＯ２ ＋ ２Ｈ２Ｏ…（３）
【０００５】
このようなダイレクトメタノール型燃料電池は、上記式（１）〜（３）で示されたような反応がスムーズに起これば、メタノール１分子から６個の電子を取り出すことができ、しかも標準電極電位は水素とほとんど同じなので、理論的にはエネルギー密度が高い燃料電池ができるはずである。しかし、メタノールの燃料極での反応速度が遅く、さらに中間体が生成されること等もあり、従来の水素を用いた燃料電池に出力特性が及ばないというのが現状である。
【０００６】
燃料電池の燃料極において、例えば、Ｐｔ触媒が担持された電極を使用すると、かかるＰｔ触媒が担持された電極におけるメタノールの燃料極での反応は、下記式（４）〜（７）のように進行すると考えられている。
ＣＨ３ＯＨ → ＣＨ２ＯＨ ＋ Ｈ＋ ＋ ｅ−…（４）
ＣＨ２ＯＨ → ＣＨＯＨ ＋ Ｈ＋ ＋ ｅ−…（５）
ＣＨＯＨ → ＣＨＯ ＋ Ｈ＋ ＋ ｅ−…（６）
ＣＨＯ → ＣＯ ＋ Ｈ＋ ＋ ｅ−…（７）
【０００７】
メタノールは、燃料極のＰｔ触媒表面に吸着し、上記式（４）から（６）又は（７）まで進行するが、ここで反応が進行しなくなる。これは、反応が進行するにつれてＰｔ触媒表面上に頑固に吸着したＣＯが容易には酸化されないために、Ｐｔ触媒表面の活性点のすべてがＣＯで占有されてしまうことによる。
【０００８】
このＰｔ触媒のＣＯ被毒を低減するため、ダイレクトメタノール型燃料電池では、燃料極触媒（アノード触媒）としてＰｔとＲｕとの合金を使用するのが一般的である。
【０００９】
燃料極触媒（アノード触媒）としてＰｔとＲｕとの合金を使用すると、下記式（８）に示すように、Ｒｕが水を分解してＯＨを吸着する。
Ｈ２Ｏ → Ｒｕ−ＯＨａｄ ＋ Ｈ＋ ＋ ｅ−…（８）
【００１０】
このＲｕに吸着されたＯＨが、下記式（９）に示すように、近傍のＰｔ触媒表面上に吸着されているＣＯをＣＯ２に酸化する。
Ｐｔ−ＣＯａｄ ＋ Ｒｕ−ＯＨａｄ
→ Ｐｔ ＋ Ｒｕ ＋ ＣＯ２ ＋ Ｈ＋ ＋ ｅ−…（９）
【００１１】
上記式（９）により生成したＣＯ２はＰｔ触媒表面に吸着しないので、Ｐｔ触媒表面から離れる。そして、再びメタノールがＰｔ触媒表面に吸着し、上記式（４）から（６）又は（７）までの反応が継続的に進行し、電流を取り出すことができる。しかし、この場合でも上記式（８）及び（９）の反応速度が遅いため、燃料電池からの出力が小さく、中間体も生成されるため、エネルギー損失が生じてしまう。
【００１２】
このような問題を回避するためには、Ｐｔ触媒表面に吸着したＣＯを効率的に酸化してＣＯ２へと変換する必要がある。そこで、燃料電池用燃料とともに過酸化水素を酸化剤として燃料極（アノード）に供給し、燃料極触媒表面に吸着されているＣＯを酸化してＣＯ２とすることで、燃料極触媒のＣＯ被毒を回避する方法が提案されている（特許文献１参照）。
【特許文献１】特開２００２−３４３４０３号公報
【発明の開示】
【発明が解決しようとする課題】
【００１３】
しかしながら、上記特許文献１に記載された方法は、過酸化水素の酸化力が非常に強いため、燃料電池用燃料とともに燃料極に供給される過酸化水素が、燃料電池を構成する電解質膜や製品部材等を劣化させてしまうという問題があった。
【００１４】
そこで、本発明は、燃料電池の構成部材に損傷を与えることなく、燃料極触媒表面に吸着したＣＯを酸化し、燃料極触媒のＣＯ被毒を抑制することのできる燃料供給方法及び燃料電池システムを提供することを目的とする。
【課題を解決するための手段】
【００１５】
上記課題を解決するために、本発明は、燃料電池用燃料と金属過酸化物とを混合し、燃料電池セルの燃料極に前記燃料電池用燃料を供給することを特徴とする燃料供給方法を提供する（請求項１）。
【００１６】
例えば、過酸化マグネシウムや過酸化カルシウム等の金属過酸化物は、下記式（１０），（１１）に示すように、水と接触することにより酸素を放出する。
ＭｇＯ２ ＋ Ｈ２Ｏ → Ｍｇ(ＯＨ)２ ＋ １／２Ｏ２…（１０）
ＣａＯ２ ＋ Ｈ２Ｏ → Ｃａ(ＯＨ)２ ＋ １／２Ｏ２…（１１）
【００１７】
上記式（１０），（１１）に示す反応により生成した酸素が、燃料極での燃料電池用燃料の反応により燃料極触媒の表面に吸着したＣＯを速やかに酸化してＣＯ２にすることができるため、上記発明（請求項１）のように燃料電池用燃料と金属過酸化物との混合物を燃料極に供給することで、溶存酸素濃度の高い燃料電池用燃料を燃料極に供給することができ、これにより燃料極触媒のＣＯ被毒を抑制することができる。
【００１８】
上記発明（請求項１）においては、前記燃料電池用燃料と前記金属過酸化物と水とを混合し、前記燃料極に前記燃料電池用燃料を供給することが好ましい（請求項２）。かかる発明（請求項２）によれば、金属過酸化物と水とが接触することで、金属過酸化物と水との反応により酸素が放出され、溶存酸素濃度のより高い燃料電池用燃料を燃料極に供給することができ、これにより燃料極触媒のＣＯ被毒をより効果的に抑制することができる。
【００１９】
上記発明（請求項１，２）においては、前記燃料電池用燃料と前記金属過酸化物との混合物から前記金属過酸化物及び／又は前記金属過酸化物由来の金属陽イオンを除去し、前記燃料極に前記燃料電池用燃料を供給することが好ましい（請求項３）。
【００２０】
金属過酸化物のうちのアルカリ金属やアルカリ土類金属は、相対的にイオン化傾向が大きく、陽イオンになりやすいため、かかる金属陽イオンが燃料極に供給されると、燃料極から空気極への水素イオン（Ｈ＋）の移動が阻害されるおそれがあるが、上記発明（請求項３）によれば、燃料極に金属陽イオンが供給されることがなく、燃料電池システムを安定的に運転することができる。
【００２１】
上記発明（請求項１〜３）においては、前記金属過酸化物が、過酸化マグネシウム及び／又は過酸化カルシウムであることが好ましい（請求項４）。過酸化マグネシウムや過酸化カルシウムは、酸素徐放性に優れており、徐々に酸素が放出されるため、かかる発明（請求項４）によれば、金属過酸化物から急激に酸素が放出されることにより爆発等が起こる危険性を回避することができ、燃料電池システムの安全性を向上することができる。
【００２２】
上記発明（請求項１〜４）においては、前記燃料電池用燃料が、アルコール類であることが好ましく（請求項５）、かかる発明（請求項５）においては、前記アルコール類が、メタノールであることが好ましい（請求項６）。
【００２３】
また、本発明は、燃料極を有する燃料電池セルと、燃料電池用燃料と金属過酸化物とを混合する混合部とを備えることを特徴とする燃料電池システムを提供する（請求項７）。
【００２４】
さらに、本発明は、燃料極を有する燃料電池セルと、燃料電池用燃料と金属過酸化物と水とを混合する混合部とを備えることを特徴とする燃料電池システムを提供する（請求項８）。
【００２５】
上記発明（請求項７，８）によれば、燃料電池システムにおける燃料極触媒のＣＯ被毒を抑制することができる。
【００２６】
上記発明（請求項７，８）においては、前記燃料電池セルの燃料極の上流側に、前記金属過酸化物及び／又は前記金属過酸化物由来の金属陽イオンを除去する除去部が設けられていることが好ましい（請求項９）。
【００２７】
金属過酸化物のうちのアルカリ金属やアルカリ土類金属は、相対的にイオン化傾向が大きく、陽イオンになりやすいため、かかる金属陽イオンが燃料極に供給されると、燃料極から空気極への水素イオン（Ｈ＋）の移動が阻害されるおそれがあるが、上記発明（請求項９）によれば、除去部にて金属過酸化物及び／又は金属陽イオンが捕捉されるため、燃料極に金属陽イオンが供給されることがなく、燃料電池システムを安定的に運転することができる。
【００２８】
さらにまた、本発明は、上記発明（請求項７〜９）に係る燃料電池システムで発電された電気を利用して駆動することを特徴とする携帯用電子機器を提供する（請求項１０）。
【発明の効果】
【００２９】
本発明によれば、燃料電池の構成部材に損傷を与えることなく、燃料極触媒表面に吸着したＣＯを酸化し、燃料極触媒のＣＯ被毒を抑制することのできる燃料供給方法及び燃料電池システムを提供することができる。
【発明を実施するための最良の形態】
【００３０】
以下、本発明の一実施形態に係る燃料供給方法について説明する。
本実施形態に係る燃料供給方法は、燃料電池用燃料と金属過酸化物とを混合し、燃料電池用燃料を燃料電池セルの燃料極に供給する。好ましくは、燃料電池用燃料と金属過酸化物と水とを混合し、燃料電池用燃料を燃料電池セルの燃料極に供給する。
【００３１】
燃料電池用燃料としては、例えば、アルコール類、エーテル類、炭化水素類、アセタール類、ギ酸類等が挙げられるが、特にこれらに限定されるものではない。具体的には、燃料電池用燃料として、メタノール、エタノール、変性アルコール、１−プロパノール、２−プロパノール、１−ブタノール、２−ブタノール、ｔｅｒｔ−ブタノール、エチレングリコール等の炭素数１〜４の低級脂肪族アルコール類；ジメチルエーテル、メチルエチルエーテル、ジエチルエーテル等のエーテル類；プロパン、ブタン等の炭化水素類；ジメトキシメタン、トリメトキシメタン等のアセタール類；ギ酸、ギ酸メチル等のギ酸類等を使用することができる。これらは１種を単独で使用してもよいし、２種以上を混合して使用してもよい。これらのうち、ダイレクトメタノール型燃料電池の燃料であるメタノールを使用することが好ましい。
【００３２】
金属過酸化物としては、過酸化カリウム、過酸化ナトリウム、過酸化マグネシウム、過酸化カルシウム、過酸化バリウム、過酸化リチウム等が挙げられる。これらの金属過酸化物は、単独で使用してもよいし、任意に混合して使用してもよい。金属過酸化物は、水と接触することにより酸素を放出するため、燃料電池用燃料と金属過酸化物と水との混合物を燃料極に供給することで、溶存酸素濃度の高い燃料電池用燃料を燃料極に供給することができ、それにより、燃料極触媒での燃料電池用燃料の反応によって生じたＣＯを速やかに酸化してＣＯ２とし、燃料極触媒のＣＯ被毒を抑制することができる。なお、燃料極触媒としては、例えば、Ｐｔ触媒、Ｐｔ−Ｒｕ触媒、Ｐｔ−Ｎｉ触媒、Ｐｔ−Ｃｏ触媒、Ｐｔ−Ｆｅ触媒等が挙げられるが、これらに限定されるものではない。
【００３３】
金属過酸化物の形状は、特に限定されるものではないが、粒子状（微粒子状）であることが好ましい。金属過酸化物の形状が粒子状であることで、金属過酸化物と水との反応性が向上し、燃料電池用燃料の溶存酸素濃度が高くなるため、燃料極触媒のＣＯ被毒を効果的に抑制し得る量の酸素を燃料極に供給することができる。
【００３４】
金属過酸化物の粒径は、１〜１０００μｍであることが好ましい。金属過酸化物の粒径が上記範囲内であれば、燃料極触媒のＣＯ被毒を効果的に抑制し得る量の酸素を燃料極に供給することができる。
【００３５】
これらの金属過酸化物のうち、過酸化マグネシウム、過酸化カルシウムを使用するのが好ましい。過酸化マグネシウムや過酸化カルシウムは、酸素徐放性に優れており、水と接触するとゆっくり酸素を放出するため、急激に酸素が放出されることにより爆発等が起こる危険性もなく、安全性の面で好適である。
【００３６】
燃料電池用燃料と金属過酸化物との混合割合は、燃料電池用燃料１質量部に対して金属過酸化物０．０１〜１質量部であることが好ましい。燃料電池用燃料と金属過酸化物との混合割合が上記範囲内であれば、金属過酸化物と水とを接触させたときに燃料極触媒のＣＯ被毒を効果的に抑制し得る量の酸素を燃料極に供給することができる。
【００３７】
燃料電池用燃料に金属過酸化物と水とを混合し、混合物を燃料極に供給する場合には、混合物全体における燃料電池用燃料の配合割合が３〜３０質量％であることが好ましい。混合物全体における燃料電池用燃料の配合割合が３０質量％を超えると、クロスオーバー等が生じるおそれがあり、３質量％未満であると、発電が効率よく行われず、所望とする出力が得られないおそれがある。
【００３８】
燃料極に燃料電池用燃料と金属過酸化物と水との混合物を供給する方法としては、例えば、燃料電池用燃料と金属過酸化物と水との混合物を液体として供給する方法（液体供給方式）、燃料電池用燃料水溶液と金属過酸化物との混合物を気化させて気体として供給する方法（気化供給方式）が挙げられる。
【００３９】
液体供給方式の場合、例えば、燃料電池用燃料収容部、金属過酸化物収容部及び水収容部を有する燃料カートリッジの各収容部に燃料電池用燃料、金属過酸化物及び水を予め充填しておき、燃料電池用燃料と金属過酸化物と水とを混合して、混合物をポンプで強制的に燃料極に供給してもよいし、燃料電池用燃料と金属過酸化物と水とを予め混合した混合物を燃料カートリッジに充填しておき、当該混合物をポンプで強制的に燃料極に供給してもよい。また、燃料電池用燃料と金属過酸化物と水との混合物が、多孔性の拡散層を介して毛管現象により自発的に燃料極に供給されるようにしてもよい。
【００４０】
液体供給方式の場合、燃料極の上流側において、燃料電池用燃料から金属過酸化物及び金属陽イオンを除去し、燃料電池用燃料を燃料極に供給することが好ましい。金属過酸化物の多くはアルカリ金属又はアルカリ土類金属の過酸化物であり、アルカリ金属やアルカリ土類金属は、他の金属（例えば、遷移金属等）よりもイオン化傾向が大きく、金属陽イオンとして燃料極に供給される可能性があるが、燃料極内に金属陽イオンが存在すると、燃料極から空気極への水素イオンの移動が阻害されてしまうおそれがあるため、金属陽イオンを除去することが好ましい。
【００４１】
燃料電池用燃料から金属過酸化物及び金属陽イオンを除去する方法としては、特に限定されるものではないが、例えば、陰イオン交換膜、陽イオン交換樹脂を充填したカラム等によりこれらを除去する方法が挙げられる。これらの陰イオン交換膜、陽イオン交換樹脂充填カラム等は、燃料極の上流側に設けられていればよく、例えば、燃料カートリッジの出口に陰イオン交換膜が設けられていてもよいし、燃料カートリッジの出口と燃料極との間の流路に陽イオン交換樹脂を充填したカラムが設けられていてもよい。
【００４２】
気化供給方式の場合、多孔性材料等に保持させた燃料電池用燃料水溶液と金属過酸化物微粒子とを燃料カートリッジに収容し、常温で燃料電池用燃料水溶液を気化させて燃料電池用燃料を燃料極に供給してもよいし、燃料カートリッジを加熱して燃料電池用燃料水溶液を気化させて燃料電池用燃料を燃料極に供給してもよい。燃料電池用燃料水溶液と金属過酸化物微粒子とを多孔性材料等に保持させることで、燃料電池用燃料水溶液中の溶存酸素濃度が上昇するため、多孔性材料から気化した燃料電池用燃料を燃料極に供給することで、燃料極触媒のＣＯ被毒を抑制することができる。また、燃料電池用燃料水溶液を多孔性材料に保持させることで、燃料電池用燃料が液体状態よりも気化しやすくなり、常温でも気化させた燃料電池用燃料を燃料極に供給することができる。
【００４３】
なお、気化供給方式の場合、燃料カートリッジは金属製であることが好ましい。燃料カートリッジが金属製等の熱伝導性の高い材質からなることで、燃料電池用燃料の燃料極での反応に伴って発生する反応熱を、燃料電池用燃料水溶液を気化させるために利用することができる。この場合、燃料カートリッジの材質は、銅、アルミニウム、スチール、ステンレス等の汎用性がありかつ低コストの金属であることが好ましいが、特にこれらに限定されるものではない。
【００４４】
以上説明した燃料供給方法により燃料電池用燃料が供給される燃料電池システムとしては、特に限定されるものではなく、例えば、ダイレクトメタノール型燃料電池システム、固体高分子型燃料電池システム、固体酸化物型燃料電池システム等が挙げられる。
【００４５】
以上説明した燃料供給方法により燃料電池用燃料が供給される燃料電池システムは、例えば、携帯電話、ノートパソコン、デジタルカメラ等の携帯型電子機器に当該燃料電池システムを電気的に接続することで、これらの携帯型電子機器の電源として好適に利用することができる。
【００４６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【００４７】
以下、実施例により本発明を詳細に説明するが、本発明は下記の実施例に何ら限定されるものではない。
【００４８】
〔実施例１〕溶存酸素濃度測定
１００ｇの脱イオン水に１ｇの過酸化カルシウムを加えた後、室温（２７℃）で静置して一定時間ごとに脱イオン水中の溶存酸素濃度を測定した。同様に、１００ｇの脱イオン水に１ｇの過酸化マグネシウムを加えた後、室温（２７℃）で静置して一定時間ごとに脱イオン水中の溶存酸素濃度を測定した。なお、脱イオン水中の溶存酸素濃度の測定は、溶存酸素メーター（商品名：ＯＭ−５１，堀場製作所社製）を使用して行った。
結果を図１に示す。
【００４９】
図１に示すように、過酸化カルシウム及び過酸化マグネシウムに脱イオン水を接触させることで、脱イオン水中の溶存酸素濃度が上昇することが確認された。また、過酸化マグネシウムは、過酸化カルシウムよりも緩やかに溶存酸素濃度を上昇させる傾向を有することが確認された。
【００５０】
〔実施例２〕電流−電圧測定
触媒層を塗布した電極を、Nafion112膜（デュポン社製）に熱圧着して膜電極接合体（ＭＥＡ）を調製した。電極面積は２０ｃｍ２であり、燃料極触媒としてはＰｔ−Ｒｕ／Ｃ（Ｐｔ：Ｒｕ＝２：１，質量比）を使用し、空気極触媒としてはＰｔ／Ｃを使用した。このＭＥＡを自作の実験用燃料電池に組み込み、電流−電圧測定を行った。なお、電流−電圧の制御には、ポテンショ／ガルバノスタット（商品名：ＨＡ−１５１，北斗電工社製）をガルバノスタットとして用いた。
【００５１】
３質量％メタノール水溶液１００ｇに１ｇの過酸化カルシウムを添加し、流速１０ｍＬ／ｍｉｎで燃料極に供給し、定電流で電圧が安定したのを確認した後、電流−電圧曲線測定を行った。なお、比較例として、過酸化カルシウムを添加していないメタノール水溶液についても測定した。過酸化カルシウムを添加したメタノール水溶液を燃料極に供給するときには、メタノール水溶液中に溶出するカルシウムイオンを除去するために陽イオン交換樹脂（製品名：モノスフィア６５０Ｃ，ダウケミカル社製）を充填したカラムを燃料カートリッジと燃料極との間の流路に設けた。なお、空気極には、室内空気を流速０．１５Ｌ／ｍｉｎで供給した。
結果を図２に示す。
【００５２】
図２に示すように、燃料に過酸化カルシウムを加えることで、電池性能が向上することが確認された。また、過酸化カルシウムを添加した場合は、添加しなかった場合に比べて最大出力が５．７％向上した。
【産業上の利用可能性】
【００５３】
本発明は、燃料極触媒のＣＯ被毒による燃料電池システムの性能劣化の防止に有用である。
【図面の簡単な説明】
【００５４】
【図１】実施例１における溶存酸素濃度測定結果を示すグラフである。
【図２】実施例２における電流−電圧曲線測定結果を示すグラフである。
【図１】
2008097977.tif 000002
【図２】
2008097977.tif 000003